(57)【要約】    【課題】  給油口用キャップ及び給油カードの不注意による置き忘れを確実に防止できるようにした給油口用キャップ台付きカードラックを提供する。    【構成】  ラック本体(10)には弾性舌片(10B) が上向きに設けられ、ラック本体と弾性舌片との間には給油カード(20)が弾性復元力によって挟持され得るとともに、ラック本体にはキャップ台(30)が上向きに固定されてキャップ(50)が仮置き可能に設けられ、ラック本体又はキャップ台はガソリン給油計器(70)の側面、給油ノズル(80)又は給油ホースに固定され得るようになっている。【選択図】  図１
2007302290.tif 000002
【特許請求の範囲】
【請求項１】
給油カードを保持するとともに車輛用給油口のキャップを置くことができるようにしたキャップ台付きカードラックであって、
ラック本体には弾性舌片が上向きに設けられ、上記ラック本体と弾性舌片との間には給油カードが弾性復元力によって挟持され得るとともに、上記ラック本体にはキャップ台が上向きに固定されて上記キャップが仮置き可能に設けられ、上記ラック本体又はキャップ台はガソリン給油計器の側面、給油ノズル又は給油ホースに固定され得るようになっていることを特徴とする給油口用キャップ台付きカードラック。
【請求項２】
上記ラック本体が両面粘着テープによってガソリン給油計器の側壁面に貼付けられるか、又は給油ノズル又は給油ホースがＵボルトに挿通されて該Ｕボルトが上記キャップ台に締付けられることによって上記キャップ台が給油ノズル又は給油ホースに固定されるようになっている請求項１記載の給油口用キャップ台付きカードラック。
【請求項３】
上記ラック本体が弾性金属板を用いて製作され、該ラック本体には上向き舌片が形成され、その下側には下向き舌片が形成される一方、下向き舌片の下側に連続する部分が前方水平に折り曲げられ、該水平折り曲げ部分上には皿状の上記キャップ台が載せられるとともに、該皿状の周縁部分が上記下向き舌片とラック本体との間に噛み込まれて固定されている請求項１記載の給油口用キャップ台付きカードラック。
【請求項４】
上記ラック本体が弾性金属板を用いて製作され、該ラック本体には上向き舌片が形成される一方、上向き舌片の下側には上記キャップ台が溶接によって固定されている請求項１記載の給油口用キャップ台付きカードラック。
【請求項５】
上記ラック本体又はキャップ台には磁石板が貼付けられて上記キャップが磁着可能となっている請求項１ないし４のいずれかに記載の給油口用キャップ台付きカードラック。
【発明の詳細な説明】
【技術分野】
【０００１】
本発明はガソリンスタンドで用いられる給油口用キャップ台付きカードラックに関し、特に給油作業後の給油口用キャップや給油カードの置き忘れを防止できるようにしたキャップ台付きカードラックに関する。
【背景技術】
【０００２】
ガソリンスタンドにおいて給油を行う場合、車輛ボディに設けられた給油口のキャップを外し、給油ノズルを給油口に差し込んで給油を行うのが一般的であるが、給油計器の近傍にはキャップの適当な置き場所がなく、作業者がキャップを手に持って作業を行うと、給油作業がし難いことから、給油作業中はキャップを給油計器の上側に置くことがよく行われている。
【０００３】
最近、料金等の支払いについてはこれをカードで行うことが多くなったが、給油カードについても給油作業中は給油計器の上側に置くことが多い。
【０００４】
しかし、給油計器の上側は作業者の目線より高い位置にあることが多く、注意が行き届き難く、給油口のキャップを見失って給油作業後のキャップの締め忘れ、あるいは給油カードの置き忘れが時々発生している。
【０００５】
他方、給油ノズル又は給油ホースに、弾性クリップを取付け、給油口用のキャップを挟んで保持するようにしたキャップ保持用クリップが提案されている（特許文献１、特許文献２）。
【０００６】
【特許文献１】実開平０３−４０１２０号公報
【特許文献２】実開昭５７−７４１９９号公報
【発明の開示】
【発明が解決しようとする課題】
【０００７】
しかし、特許文献１、２記載のキャップ保持用クリップでは給油カードを保持することができず、給油カードについては依然として見失うことがあった。
【０００８】
本発明は、かかる問題点に鑑み、置き忘れ易い給油口用キャップと給油カードの双方を見易い場所に保持しておくことのできるようにした給油口用キャップ台付きカードラックを提供することを課題とする。
【課題を解決するための手段】
【０００９】
そこで本発明に係る給油口用キャップ台付きカードラックは、給油カードを保持するとともに車輛用給油口のキャップを置くことができるようにしたキャップ台付きカードラックであって、ラック本体には弾性舌片が上向きに取付けられ、上記ラック本体と弾性舌片との間には給油カードが弾性復元力によって挟持され得るとともに、上記ラック本体にはキャップ台が上向きに固定されて上記キャップが仮置き可能に設けられ、上記ラック本体又はキャップ台はガソリン給油計器の側面、給油ノズル又は給油ホースに固定され得るようになっていることを特徴とする。
【００１０】
ラック本体は合成樹脂材料を用いて製作してもよく、又アルミニウム系材料などの金属材料を用いて製作してもよい。弾性舌片は弾性を有する材料を用いてラック本体と別体に製作し、ラック本体に固定してもよいが、製造作業を考慮するとラック本体を弾性金属板を用いて製作し、プレス打抜き等によって弾性舌片を一体的に形成するのがよい。
【００１１】
キャップ台は合成樹脂材料等で構成してもよく、又金属材料で構成してもよい。キャップ台の形状は凹状円形が好ましいが、その他の形状であってよい。キャップ台とラック本体とはラック本体に下向き舌片と折り曲げ部分とを形成して皿状のキャップ台を固定してもよく、又溶接によって固定してもよく、さらには固定金具、例えばボルト・ナット等によって固定してもよい。溶接による場合にはキャップ台及びラック本体の全体を溶接可能な材料で構成してもよく、又その一部、例えば固定箇所のみを溶接可能な材料で構成してもよい。
【００１２】
給油口用キャップ台付きカードラックをガソリンの給油計器の側壁面、給油ノズル又は給油ホースに取付ける場合、ラック本体又はキャップ台のいずれか一方をガソリン給油計器の側壁面、給油ノズル又は給油ホースに取付ければよく、ラック本体及びキャップ台の形状等に応じて選択すればよい。ガソリン給油計器の側壁面に固定する場合、両面粘着テープによって接着するのがよいが、勿論、他の方法、例えば接着剤で接着し、ボルト・ナットその他の固定金具で固定してもよい。また、給油ノズル又は給油ホースに固定する場合にもＵボルト、その他の固定金具にて固定できる。
【００１３】
また、大型車の場合は給油口用のキャップが比較的大きく、これをキャップ台に単に載せ置くだけでは落下しやすい。かかる大型車の給油口用のキャップは磁着可能な金属製であることが多いので、ラック本体又はキャップ台の何れか一方に磁石板を取付けて給油口用キャップを磁着可能とするのが好ましい。勿論、磁力によって給油カードのデータエラーが懸念される場合には設ける必要はない。
【００１４】
本発明によれば、ラック本体近傍に車両の給油口用のキャップを仮置き可能とし、これを給油計器近傍の見易い位置に保持できる結果、置き忘れ易い給油口栓と給油カードとを一緒に目視し易い位置に置いておくことができる。
【発明を実施するための最良の形態】
【００１５】
以下、本発明を図面に示す具体例に基づいて詳細に説明する。図１は本発明に係る給油口用キャップ台付きカードラックの好ましい実施形態を示す。本例のカードラックはガソリン給油計器７０の側壁面に貼付け可能であり、給油カード２０を差し込んで仮止め可能なラック本体１０とそれに取りつけられたキャップ台３０とから構成されている。
【００１６】
ラック本体１０は弾性金属板を用いて製作され、ラック本体１０にはプレス打抜きにてその巾方向の中央に断面コ字形の凸部１０Ａが長手方向に延びて形成されるとともに、その上半部に上向き切り欠き舌片１０Ｂが形成され、下半部には下向き切り欠き舌片１０Ｃが形成され、上記凸部１０Ａの下端には折曲げ片（水平折曲げ部分）１０Ｄが前方水平に延びて折り曲げ形成されている。
【００１７】
従って、ラック本体１０と上向き切り欠き舌片１０Ｂとの間には給油カード２０の中央を押し込み、舌片１０Ｂの弾性復元力によって挟持され保持できるとともに、凸部１０Ａの段部によってカード両側に抜き差しのためのスペースが形成されるので、作業性に優れている。なお、ラック本体１０には給油カード２０を繰り返し挟持が可能なようにステンレス鋼板を使用するのが好ましい。合成樹脂の射出成形等により同一形状のものが製造可能であるが、耐油性および防火性の点で金属板が好ましい。
【００１８】
他方、キャップ台３０は凸部１０Ａの下端から前方水平に延びる折曲げ片１０Ｅ上に載せ、キャップ台３０の皿状の周縁部を下向き舌片１０Ｃとラック本体１０との間に噛み込ませることによってキャップ台３０が固定されている。このキャップ台３０は底板３０Ａと上部口枠３０Ｂとを同一径の螺旋状の線ばね３０Ｃで結合して構成され、ラック本体１０への組み込み固定がし易くなっている。
【００１９】
このキャップ台３０上には乗用車用給油口用のキャップ５０が仮置き可能となっている。乗用車の給油口用のキャップ５０は合成樹脂製であるので、この載せ置き形式が好ましい。しかし、大型車の場合は磁着可能な金属製であり、このキャップ台３０上に単に載せ置くだけでは落下しやすいので、更に凸部１０Ａ（又はキャップ台３０）に磁石板４０を貼りつけてキャップ５０を磁着できるようにするのが好ましい。その貼付け位置は図面に示すように上下の舌片１０Ｂ、１０Ｃ間の凸部１０Ａがキャップ台３０上のキャップ５０を磁着保持する上で好ましい。
【００２０】
ラック本体１０の凸部１０Ａの両側フランジ部１０Ｅ、１０Ｆ裏面の両面粘着テープ６０にてガソリン給油計器７０の側壁面の所要箇所に貼り付けられる。
【００２１】
以上のような本例の給油口用キャップ台付きカードラックではステンレス鋼板等の弾性金属板をプレス打抜きすることにてラック本体１を製造するようにしたので、耐久性に優れたものを安価に提供できる。
【００２２】
また、ラック本体１０の巾方向の中央に断面コ字形の凸部１０Ａを形成し、この凸部１０Ａに上向き舌片１０Ｂを形成することにより、給油カード２０を保持する構造部分を構成したので、カードの抜き差しが容易である。
【００２３】
しかも、給油カード２０の保持構造部分の近傍に車両の給油口用のキャップ５０を仮置きできるようにし、それを給油計器７０の見易い位置にセットすることができるので、置き忘れ易いものが一緒にしかも見やすい位置にあり、不注意による置き忘れを防止することができる。
【００２４】
更に、上記凸部１０Ａ（キャップ台３０でもよい）に磁石板４０を貼りつけ、キャップ５０を磁着できるようにしたので、キャップ台３０からはみ出すような大型車両の給油口用のキャップ５０であっても確実にキャップ台３０上に保持できる。
【００２５】
また、図２は第２の実施形態を示し、図１と同一符号は同一又は相当部分を示す。本例ではキャップ台３０にボルト、例えばＵボルト３０Ｄを設け、該Ｕボルト３０Ｄを給油ノズル８０に抱きつかせることによってカードラックを給油ノズル８０に固定するように構成され、作業者の手元近くの見易い箇所に給油口用キャップ５０及び給油カード２０を置いておくことができるようになっている。
【００２６】
図３は第３の実施形態を示し、図１と同一符号は同一又は相当部分を示す。本例ではキャップ台３０は円筒状金属メッシュ３０Ｅの上側に金属製リング３０Ｆを、下側に底板３０Ａを各々固定して構成され、キャップ台３０のＵボルト３０Ｄによって給油ノズル８０に固定されるようになっている。
【００２７】
また、キャップ台３０の側面にはラック本体１０がスポット溶接による溶接部分１０Ｇによって固定され、ラック本体１０にはキャップ台３０と反対側の幅方向両側にプレス打抜きにて左右一対の上向き舌片１０Ｂが形成され、給油カード２０を弾性挟持できるようになっている。
【００２８】
最近の給油ノズル８０ではこれに給油量の表示計が一体に設けられ、キャップ台付きカードラックを取付ける適当なスペースがないことがあるが、かかる場合には給油ノズル８０近傍の給油ホースにＵボルト３０Ｄによって固定することもできる。
【００２９】
以上の説明で明らかなように、ラック本体１０の近傍に給油口用キャップ５０を仮置き可能とし、それを給油計器７０、給油ノズル８０あるいは給油ホース等の見易い位置にセットするようにしたので、置き忘れ易い給油口用のキャップ５０と給油カード２０とを一緒にして見やすい位置に置いておくことができ、不注意による置き忘れを確実に防止することができる。
【図面の簡単な説明】
【００３０】
【図１】本発明に係る給油口用キャップ台付きカードラックの好ましい実施形態を示す斜視図である。
【図２】第２の実施形態を示す斜視図である。
【図３】第３の実施形態を示す斜視図である。
【符号の説明】
【００３１】
１０      ラック本体                  １０Ｂ    上向き舌片
１０Ｃ    舌向き舌片                  ２０      給油カード
３０      キャップ台                  ３０Ｄ    Ｕボルト
４０      磁石板                      ５０      給油口用キャップ
６０      両面粘着テープ              ７０      給油計器
８０      給油ノズル
【図１】
2007302290.tif 000003
【図２】
2007302290.tif 000004
【図３】
2007302290.tif 000005